【手続補正書】
【提出日】平成19年4月2日(2007.4.2)
【手続補正１】
【補正対象書類名】明細書
【補正対象項目名】特許請求の範囲
【補正方法】変更
【補正の内容】
【特許請求の範囲】
【請求項１】  情報表示面を画素に分割しこの画素毎に可視光の透過度を制御することによって情報を表示する表示手段と、
前記情報表示面に表示する情報の変化に応じて前記透過度を変更する画素を特定するデータとそれぞれの画素に新たに設定する透過度とを決定して、前記表示手段を制御する表示制御手段と、
前記情報表示面の背面に設置されて前記情報表示面に可視光を照射する発光手段と、
前記発光手段の発光量を更新する発光量制御手段と、
前記画素を特定するデータに基づいて、前記発光量制御手段による前回の発光量の更新の後に透過度が変更された画素を累積的に特定し、特定した画素に基づいて所定の計数を算出する計数算出手段とを備え、
前記発光量制御手段は、前記計数に応じて前記発光量の更新を行う
ことを特徴とする情報表示装置。
【請求項２】  前記所定の計数は前記発光量の更新を前回実行した後に前記透過度が変更された全画素を含む長方形の面積であり、
前記面積が所定の値を超えた時に前記発光量制御手段は前記発光量の更新を行う
ことを特徴とする請求項１に記載の情報表示装置。
【請求項３】  前記所定の計数は前記発光量の更新を前回実行した後に前記透過度が変更された画素数の総和であり、
前記総和が所定の値を超えた時に前記発光量制御手段は前記発光量の更新を行う
ことを特徴とする請求項１に記載の情報表示装置。
【請求項４】  情報表示面を画素に分割しこの画素毎に可視光の透過度を制御することによって情報を表示する表示手段と、
前記情報表示面を、それぞれが前記画素の集合である複数のグループに分割し、前記情報表示面に表示する情報の変化に応じて前記透過度を変更することが必要な前記画素を含むグループ単位で、画素を特定するデータとそれぞれの画素に新たに設定する透過度とを決定して、前記表示手段を制御する表示制御手段と、
前記情報表示面の背面に設置されて前記情報表示面に可視光を照射する発光手段と、
前記発光手段の発光量を更新する発光量制御手段と、
前記画素を特定するデータに基づいて、前記発光量制御手段による前回の発光量の更新の後に透過度が変更された画素を累積的に特定し、特定した画素に基づいて、グループ単位で、所定の計数を算出する計数算出手段とを備え、
前記発光量制御手段は、前記計数に応じて前記発光量の更新を行う
ことを特徴とする情報表示装置。
【請求項５】  前記所定の計数は前記発光量の更新を前回実行した後に変更した透過度の総和であり、
前記総和が所定の値を超えた時に前記発光量制御手段は前記発光量の更新を行う
ことを特徴とする請求項４に記載の情報表示装置。
【請求項６】  情報表示面を画素に分割しこの画素毎に可視光の透過度を制御することによって情報を表示する表示手段を使用する情報表示方法であって、
前記情報表示面に表示する情報の変化に応じて前記透過度を変更する画素を特定するデータとそれぞれの画素に新たに設定する透過度とを決定して、前記表示手段を制御する表示制御工程と、
前記情報表示面の背面から前記情報表示面に可視光を照射する発光工程と、
前記発光工程の発光量を更新する発光量制御工程と、
前記画素を特定するデータに基づいて、前記発光量制御工程による前回の発光量の更新の後に透過度が変更された画素を累積的に特定し、特定した画素に基づいて所定の計数を算出する計数算出工程とを含み、
前記発光量制御工程は、前記計数に応じて前記発光量の更新を行う
ことを特徴とする情報表示方法。
【手続補正２】
【補正対象書類名】明細書
【補正対象項目名】００２３
【補正方法】変更
【補正の内容】
【００２３】
【課題を解決するための手段】
本特許出願に係る発明は、情報表示面を画素に分割しこの画素毎に可視光の透過度を制御することによって情報を表示する表示手段と、情報表示面に表示する情報の変化に応じて透過度を変更する画素を特定するデータとそれぞれの画素に新たに設定する透過度とを決定して、表示手段を制御する表示制御手段と、情報表示面の背面に設置されて情報表示面に可視光を照射する発光手段と、発光手段の発光量を更新する発光量制御手段と、画素を特定するデータに基づいて、発光量制御手段による前回の発光量の更新の後に透過度が変更された画素を累積的に特定し、特定した画素に基づいて所定の計数を算出する計数算出手段とを備え、発光量制御手段は、計数に応じて発光量の更新を行うことを特徴とする情報表示装置である。
【手続補正３】
【補正対象書類名】明細書
【補正対象項目名】００２４
【補正方法】変更
【補正の内容】
【００２４】
本特許出願に係る発明は、さらに、所定の計数は発光量の更新を前回実行した後に透過度が変更された全画素を含む長方形の面積であり、面積が所定の値を超えた時に発光量制御手段は発光量の更新を行うことを特徴とする情報表示装置である。
【手続補正４】
【補正対象書類名】明細書
【補正対象項目名】００２５
【補正方法】変更
【補正の内容】
【００２５】
本特許出願に係る発明は、さらに、所定の計数は発光量の更新を前回実行した後に透過度が変更された画素数の総和であり、総和が所定の値を超えた時に発光量制御手段は発光量の更新を行うことを特徴とする情報表示装置である。
【手続補正５】
【補正対象書類名】明細書
【補正対象項目名】００２６
【補正方法】変更
【補正の内容】
【００２６】
また、情報表示面を画素に分割しこの画素毎に可視光の透過度を制御することによって情報を表示する表示手段と、情報表示面を、それぞれが画素の集合である複数のグループに分割し、情報表示面に表示する情報の変化に応じて透過度を変更することが必要な画素を含むグループ単位で、画素を特定するデータとそれぞれの画素に新たに設定する透過度とを決定して、表示手段を制御する表示制御手段と、情報表示面の背面に設置されて情報表示面に可視光を照射する発光手段と、発光手段の発光量を更新する発光量制御手段と、画素を特定するデータに基づいて、発光量制御手段による前回の発光量の更新の後に透過度が変更された画素を累積的に特定し、特定した画素に基づいて、グループ単位で、所定の計数を算出する計数算出手段とを備え、発光量制御手段は、計数に応じて発光量の更新を行うことを特徴とする情報表示装置である。
【手続補正６】
【補正対象書類名】明細書
【補正対象項目名】００２７
【補正方法】変更
【補正の内容】
【００２７】
本特許出願に係る発明は、さらに、所定の計数は発光量の更新を前回実行した後に変更した透過度の総和であり、総和が所定の値を超えた時に発光量制御手段は発光量の更新を行うことを特徴とする情報表示装置である。
【手続補正７】
【補正対象書類名】明細書
【補正対象項目名】００２８
【補正方法】変更
【補正の内容】
【００２８】
また、情報表示面を画素に分割しこの画素毎に可視光の透過度を制御することによって情報を表示する表示手段を使用する情報表示方法であって、情報表示面に表示する情報の変化に応じて透過度を変更する画素を特定するデータとそれぞれの画素に新たに設定する透過度とを決定して、表示手段を制御する表示制御工程と、情報表示面の背面から情報表示面に可視光を照射する発光工程と、発光工程の発光量を更新する発光量制御工程と、画素を特定するデータに基づいて、発光量制御工程による前回の発光量の更新の後に透過度が変更された画素を累積的に特定し、特定した画素に基づいて所定の計数を算出する計数算出工程とを含み、発光量制御工程は、計数に応じて発光量の更新を行うことを特徴とする情報表示方法である。